(57)【要約】  開示された本発明による薬剤包装装置は、薬剤包装紙に一定間隔で離隔した隔離部を形成させて、薬剤が包装される少なくとも１つの包装空間を形成させるように、薬剤包装紙を挟んで互いに圧着される一対の包装ローラーを含む包装ユニットと、隔離部に山部と谷部とが連続して連結されるジグザグライン状を有するが、複数個の断線部位が形成されて、ジグザグライン状が非連続に延びる非連続性切断ラインを形成させる切断ユニットと、を含む。このような構成によれば、薬剤包装紙の切断性の向上と共に耐久性の向上にも寄与しうる。
2018500253.tif 000002
【特許請求の範囲】
【請求項１】
薬剤包装紙に一定間隔で離隔した隔離部を形成させて、薬剤が包装される少なくとも１つの包装空間を形成させるように、前記薬剤包装紙を挟んで互いに圧着される一対の包装ローラーを含む包装ユニットと、
前記隔離部に山部と谷部とが連続して連結されるジグザグライン状を有するが、複数個の断線部位が形成されて、前記ジグザグライン状が非連続に延びる非連続性切断ラインを形成させる切断ユニットと、
を含む薬剤包装装置。
【請求項２】
前記切断ラインの断線部位は、前記山部と谷部との間を連結する直線部位の中央部に位置することを特徴とする請求項１に記載の薬剤包装装置。
【請求項３】
前記切断ユニットは、
前記一対の包装ローラーのうち少なくとも何れか１つに設けられるが、前記切断ラインを前記薬剤包装紙に形成させる少なくとも１つの切断突起と、
前記切断突起に引き込まれて、前記切断ラインを非連続に形成させる非切断溝と、
を含む請求項２に記載の薬剤包装装置。
【請求項４】
前記切断突起は、ジグザグ状の歯形を有するブレードを含み、
前記非切断溝は、前記切断突起の幅方向を基準に前記ブレードの中央に設けられる請求項３に記載の薬剤包装装置。
【請求項５】
前記薬剤包装紙は、互いに重畳された領域を備えるように折れるか、複数個が対向し、前記一対の包装ローラーは、前記薬剤包装紙を挟んで互いに圧着回転して、熱によって互いに接合された前記隔離部を形成させ、
前記隔離部は、前記薬剤包装紙の長手方向に互いに接合された第１接合部、及び前記薬剤包装紙の幅方向に互いに接合された第２接合部を含み、
前記一対の包装ローラーは、
前記第１接合部を形成させるように円周方向に互いに圧着される第１圧着部と、
前記隔離部を形成させるように長手方向に互いに圧着される第２圧着部と、
前記包装空間を形成させるために互いに離隔して対向する包装部と、
を含む請求項３に記載の薬剤包装装置。
【請求項６】
前記切断突起は、前記一対の包装ローラーの長手方向に前記一対の包装ローラーのうち少なくとも何れか１つの第２圧着部に設けられるが、ジグザグ状の歯形を有するブレードを含み、
前記非切断溝は、前記一対の包装ローラーの直径方向に前記一対の切断突起のブレードに引き込まれるように設けられるが、前記一対の切断突起の幅方向を基準に前記ブレードの中央に設けられる請求項５に記載の薬剤包装装置。
【請求項７】
前記薬剤包装紙は、ポリエステル（ＰＥＴ）材で形成される請求項１ないし請求項６のうち何れか一項に記載の薬剤包装装置。
【請求項８】
薬剤包装紙の長手方向に互いに接合された第１接合部、及び前記薬剤包装紙の幅方向に互いに接合された第２接合部を有する前記薬剤包装紙を包装する一対の包装ローラーと、
前記一対の包装ローラーに挿入されて、前記第２接合部に山部と谷部とが連続して連結されるジグザグライン状を有するが、複数個の断線部位が形成されて、前記ジグザグライン状が非連続に延びる非連続性切断ラインを形成させる切断ユニットと、を含み、
前記包装ローラーは、一対が噛み合って回転しながら、前記第１接合部及び前記第２接合部を形成させ、
前記一対の包装ローラーは、それぞれ、
前記第１接合部を形成させるように、前記薬剤包装紙の長手方向に沿って上下に離隔配置された第１圧着部であって、前記互いに対向する第１圧着部は、常に互いに圧着されるように円板状に形成された第１圧着部と、
隔離部を形成させるものであって、上下の前記第１圧着部の間を連結する四角板状に１８０゜回転時ごとに長手方向に互いに圧着される第２圧着部と、
を含む薬剤包装装置。
【請求項９】
前記切断ユニットは、第２圧着部に一部突出するように配されたブレードをさらに含み、
前記ブレードは、
山部と谷部とが連続して連結されるジグザグ状の切断ライン歯形を有する切断突起と、
前記切断突起に引き込まれて、前記切断ラインを非連続に形成させる非切断溝と、を含むことを特徴とする請求項８に記載の薬剤包装装置。
【請求項１０】
前記非切断溝は、前記山部と谷部とを連結する直線ラインの中央部に形成されることを特徴とする請求項９に記載の薬剤包装装置。
【発明の詳細な説明】
【技術分野】
【０００１】
本発明は、薬剤包装装置に係り、より具体的には、薬剤包装紙の切断が容易な薬剤包装装置に関する。
【背景技術】
【０００２】
一般的に、薬剤包装紙は、内部の薬剤を肉眼で容易に識別可能に透明でありながらも、切断が容易な材質、例えば、硫酸紙、セロハン紙及びＰＥＴ紙のうち何れか１つで製造される。ここで、前記セロハン紙は、透明性及び切断性に優れ、低コストという長所を有するが、一方、湿気に弱く、しわの発生のような低い包装性という短所を有する。一方、前記硫酸紙は、セロハン紙とは違って、透明性が低く、コストが高い短所を有する。
【０００３】
一方、前記ＰＥＴ（ポリエステル）紙は、セロハン紙よりも低コストでセロハン紙と類似した透明性を有することによって、薬剤の大量包装紙として主に使われている。ところで、前記ＰＥＴ紙は、セロハン紙及び硫酸紙よりも低い切断性を有することによって、切断ラインが形成される。ここで、前記ＰＥＴ紙に形成される切断ラインは、一対のローラーに設けられたブレードによって形成される。
【０００４】
ところで、前記ＰＥＴ紙に切断ラインを形成させるための一対のローラーが互いに圧着される力が大きい場合、ＰＥＴ紙の破損、一対のローラー間のノイズ発生及び耐久性低下の問題点を有する。逆に、前記一対のローラー間の圧着力が小さい場合には、ＰＥＴ紙が容易に切断されないという問題点を有する。したがって、最近、ＰＥＴ紙を使いながらも、切断性を向上させうる薬剤包装紙の製造についての多様な研究が持続的に要求されている趨勢である。
【先行技術文献】
【特許文献】
【０００５】
【特許文献１】韓国公開実用新案第２０−２０１４−００００７４９号公報
【特許文献２】米国特許第５４７７６５６号明細書
【特許文献３】特開平０６−１４３４５８号公報
【特許文献４】特開平０６−２７８０９９号公報
【特許文献５】米国特許第３９４３６８６号明細書
【発明の概要】
【発明が解決しようとする課題】
【０００６】
本発明は、前記問題点を勘案して案出されたものであって、優れた透明性を有すると共に、開封が容易であり、安価の薬剤包装紙を製造することができる薬剤包装装置を提供するところにその目的がある。
【課題を解決するための手段】
【０００７】
前記目的を果たすための本発明による薬剤包装装置は、薬剤包装紙に一定間隔離隔した隔離部を形成させて、薬剤が包装される少なくとも１つの包装空間を形成させるように、前記薬剤包装紙を挟んで互いに圧着される一対の包装ローラーを含む包装ユニットと、前記隔離部に山部と谷部とが連続して連結されるジグザグライン状を有するが、複数個の断線部位が形成されて、前記ジグザグライン状が非連続に延びる非連続性切断ラインを形成させる切断ユニットと、を含む。
【０００８】
一態様によれば、前記切断ラインの断線部位は、前記山部と谷部との間を連結する直線部位の中央部に位置する。
【０００９】
一態様によれば、前記切断ユニットは、前記一対の包装ローラーのうち少なくとも何れか１つに設けられるが、前記切断ラインを前記薬剤包装紙に形成させる少なくとも１つの切断突起と、前記切断突起に引き込まれて、前記切断ラインを非連続に形成させる非切断溝と、を含む。
【００１０】
一態様によれば、前記切断突起は、ジグザグ状の歯形を有するブレードを含み、前記非切断溝は、前記切断突起の幅方向を基準に前記ブレードの中央に設けられる。
【００１１】
一態様によれば、前記薬剤包装紙は、互いに重畳された領域を備えるように折れるか、複数個が対向し、前記一対の包装ローラーは、前記薬剤包装紙を挟んで互いに圧着回転して、熱によって互いに接合された前記隔離部を形成させ、前記隔離部は、前記薬剤包装紙の長手方向に互いに接合された第１接合部、及び前記薬剤包装紙の幅方向に互いに接合された第２接合部を含み、前記一対の包装ローラーは、前記第１接合部を形成させるように円周方向に互いに圧着される第１圧着部と、前記第２隔離部を形成させるように長手方向に互いに圧着される第２圧着部と、前記包装空間を形成させるために互いに離隔して対向する包装部と、を含む。
【００１２】
一態様によれば、前記切断突起は、前記一対の包装ローラーの長手方向に前記一対の包装ローラーのうち少なくとも何れか１つの第２圧着部に設けられるが、ジグザグ状の歯形を有するブレードを含み、前記非切断溝は、前記一対の包装ローラーの直径方向に前記一対の切断突起のブレードに引き込まれるように設けられるが、前記一対の切断突起の幅方向を基準に前記ブレードの中央に設けられる。
【００１３】
一態様によれば、前記薬剤包装紙は、ポリエステル（ＰＥＴ、ｐｏｌｙｅｓｔｅｒ）材で形成される。
【発明の効果】
【００１４】
前記のような構成を有する本発明によれば、第１に、薬剤包装紙の包装空間を隔離させる隔離部に非連続性切断ラインを形成させることによって、薬剤包装紙の切断中の誤切断が防止されて耐久性の向上に寄与する。
【００１５】
第２に、薬剤包装紙の誤切断が防止されて、薬剤包装紙から薬剤が不要に漏れることが防止される。
【００１６】
第３に、相対的に切断性が低いポリエステル材の薬剤包装紙にジグザグ状の非連続性切断ラインを形成させることによって、低コストで透明性と共に切断性に優れた薬剤包装が可能となる。
【図面の簡単な説明】
【００１７】
【図１】本発明の一実施形態による薬剤包装装置を概略的に示す斜視図である。
【図２】図１に示された薬剤包装紙を概略的に示す図面である。
【図３】図１に示された切断ユニットを分離して概略的に示す図面である。
【図４】図１に示された薬剤包装装置の包装動作を説明するために概略的に示す断面図である。
【発明を実施するための形態】
【００１８】
以下、本発明の望ましい一実施形態を添付図面を参考にして説明する。
【００１９】
図１に示したように、本発明の望ましい一実施形態による薬剤包装装置１は、包装ユニット１０及び切断ユニット２０を含む。
【００２０】
参考までに、本発明で説明する薬剤包装装置１は、図２のように、薬剤（Ｍ）が包装されるように隔離された少なくとも１つの包装空間（Ｓ）を備える薬剤包装紙（Ｐ）を製造する。ここで、前記薬剤包装紙（Ｐ）は、互いに重畳された領域を備えるように折れるか、複数個が対向して薬剤（Ｍ）が包装される包装空間（Ｓ）が形成される。本実施形態では、前記薬剤包装紙（Ｐ）が長手方向に互いに平行な複数の包装空間（Ｓ）を備えると図示及び例示する。このような薬剤包装紙（Ｐ）は、薬剤（Ｍ）の肉眼識別が可能になるように透明でありながらも、低コストであって、大量薬剤（Ｍ）の包装に有利なポリエステル（ＰＥＴ）材で形成されると例示する。
【００２１】
前記包装ユニット１０は、薬剤（Ｍ）が包装される少なくとも１つの包装空間（Ｓ）を形成させるように、薬剤包装紙（Ｐ）に一定間隔離隔した隔離部１１を形成させる。
【００２２】
参考までに、前記薬剤包装紙（Ｐ）の隔離部１１は、薬剤包装紙（Ｐ）の長手方向に互いに接合された第１接合部１２と、薬剤包装紙（Ｐ）の幅方向に互いに接合された第２接合部１３と、を含む。このような第１及び第２接合部１２、１３の構成によって、ほぼ長方形の包装空間（Ｓ）が設けられる。
【００２３】
前記包装ユニット１０は、薬剤包装紙（Ｐ）を挟んで互いに回転して、熱によって互いに接合された隔離部１１を形成させる一対の包装ローラー１４を含む。前記一対の包装ローラー１４は、第１及び第２圧着部１５、１６と包装部１７とを備える互いに対応する形状を有する。
【００２４】
より具体的に、前記一対の包装ローラー１４は、薬剤包装紙（Ｐ）の第１接合部１２を形成させるために、両端に円周方向に突出して薬剤包装紙（Ｐ）を挟んで互いに圧着される第１圧着部１５が設けられる。また、前記一対の包装ローラー１４は、薬剤包装紙（Ｐ）の第２接合部１３を形成させるために、長手方向に薬剤包装紙（Ｐ）を挟んで互いに圧着される第２圧着部１６が設けられる。前記包装部１７は、第１及び第２圧着部１５、１６を除いた領域で包装空間（Ｓ）を形成させるために、互いに離隔して対向する領域である。前記包装ローラー１４の内部には、ヒーティングユニットが配される。したがって、前記一対の包装ローラー１４は、互いに噛み合って回転すれば、第１圧着部１５によって第１接合部１２が接合される。また、一対の包装ローラー１４が回転して第２圧着部の間が当接すれば、第２接合部１３が接合される。
【００２５】
前記切断ユニット２０は、隔離部１１に非連続性切断ライン２１を形成させる。具体的に、前記切断ユニット２０は、薬剤包装紙（Ｐ）の隔離部１１を形成させる第１及び第２接合部１２、１３のうち、第２接合部１３に非連続性切断ライン２１を形成させる。ここで、前記非連続性切断ライン２１は、全体として山部と谷部とが連続して連結されるジグザグライン状を有するが、中央に複数個の断線部位が形成される形状、すなわち、ジグザグライン状が非連続する形状を有する。この際、前記非連続性切断ライン２１の断線部位は、ジグザグライン状のうち、山部と谷部との間を連結する直線部位の中央に位置する。
【００２６】
このような切断ユニット２０は、図３のように、切断突起２２及び非切断溝２３を含む。
【００２７】
前記切断突起２２は、図４の図示のように、一対の包装ローラー１４のうち少なくとも何れか１つに少なくとも１つ設けられ、本実施形態では、一対に設けられると例示する。前記切断突起２２は、包装ローラー１４に設けられた設置溝１８に設けられる。具体的に、前記切断突起２２は、包装ローラー１４の長手方向に互いに噛み合うように包装ローラー１４の第２圧着部１６に設けられる。図３のように、前記切断突起２２は、山部と谷部とに対応するジグザグ状の歯形を有するブレード２４を含むことによって、薬剤包装紙（Ｐ）に山部と谷部とを備えるジグザグ状の切断ライン２１を形成させる。
【００２８】
前記非切断溝２３は、切断突起２２に包装ローラー１４の直径方向に引き込まれるように設けられる。すなわち、前記非切断溝２３は、切断突起２２の幅方向を基準に、ブレード２４の中央に設けられた溝である。このような非切断溝２３によって、図２のように、前記薬剤包装紙（Ｐ）には、山部と谷部とが連続して連結されたジグザグ状のうち、山部と谷部との間を連結する直線部位の中央部が断線される非連続性切断ライン２１が形成される。
【００２９】
前記のような構成を有する本発明による薬剤包装装置１の薬剤包装方法を図１ないし図４を参考にして説明する。
【００３０】
図１のように、前記包装ユニット１０の一対の包装ローラー１４の間に薬剤包装紙（Ｐ）が経由することによって、一対の包装ローラー１４に設けられた第１及び第２圧着部１５、１６によって薬剤包装紙（Ｐ）に図２のような第１及び第２接合部１２、１３を備える隔離部１１が形成される。この際、図４のように、前記一対の包装ローラー１４のうち何れか１つの包装ローラー１４の設置溝１８に設けられた切断突起２２のブレード２４が、薬剤包装紙（Ｐ）の第２接合部１３に切断ライン２１を形成させる。ここで、図３のように、前記切断突起２２に設けられた非切断溝２３によって、薬剤包装紙（Ｐ）には、図２のようなジグザグライン状のうち、山部と谷部との間を連結する直線部位の中央に断線部位が形成される非連続性切断ライン２１が形成される。
【００３１】
上述したように、本発明の望ましい実施形態を参照して説明したが、当該技術分野の熟練された当業者ならば、下記の特許請求の範囲に記載の本発明の思想及び領域から外れない範囲内で本発明を多様に修正及び変更させうるということを理解できるであろう。
【産業上の利用可能性】
【００３２】
本発明は、病院、薬局、家庭で使える薬剤包装装置に使用可能である。
【符号の説明】
【００３３】
１  薬剤包装装置
１０  包装ユニット
１１  隔離部
１２  第１接合部
１３  第２接合部
１４  包装ローラー
１５  第１圧着部
１６  第２圧着部
１７  包装部
１８  設置溝
２０  切断ユニット
２１  非連続性切断ライン（切断ライン）
２２  切断突起
２３  非切断溝
２４  ブレード
【図１】
2018500253.tif 000003
【図２】
2018500253.tif 000004
【図３】
2018500253.tif 000005
【図４】
2018500253.tif 000006
【国際調査報告】
2018500253.tif 000007
2018500253.tif 000008
2018500253.tif 000009
2018500253.tif 000010